(57)【要約】【課題】分岐数の増減に容易に対応でき、分岐形態に応じた電線受け部の突出角度の設定も簡単且つ正確に行えるようにする。【解決手段】布線板に立設される基端部３の上部に、基端部３よりも小径となる中心ピン５を同軸で突設したシャフト２と、一端に中心ピン５が貫通可能な貫通孔８を、他端に上方へ突出する電線受けピン１０を夫々有し、中心ピン５を貫通孔８に貫通させたセット状態で、他端が中心ピン５から放射状に突出する複数のベース７と、ベース７を中心ピン５に対して回り止めするナット１３と、を備え、複数のベース７を上方から順番に中心ピン５にセットして夫々所定の方向へ突出させ、ナット１３によって各ベース７を回り止めして所定の分岐形態を選択可能とした。【選択図】図１
2009238483.tif 000002
【特許請求の範囲】
【請求項１】
布線板に立設される基端部の上部に、前記基端部よりも小径となる中心ピンを同軸で突設したシャフトと、一端に前記中心ピンが貫通可能な貫通孔を、他端に上方へ突出する電線受け部を夫々有し、前記中心ピンを前記貫通孔に貫通させたセット状態で、前記他端が前記中心ピンから放射状に突出する複数のベースと、前記ベースを前記中心ピンに対して回り止めする回り止め手段と、を備え、
前記複数のベースを上方から順番に前記中心ピンにセットして夫々所定の方向へ突出させ、前記回り止め手段によって前記各ベースを回り止めして所定の分岐形態を選択可能としたことを特徴とするワイヤハーネスの布線用治具。
【請求項２】
前記回り止め手段を、最上位置にセットされた前記ベースの上方から前記中心ピンに装着され、前記シャフトの基端部との間で前記複数のベースを上下方向で挟持する押圧部材としたことを特徴とする請求項１に記載のワイヤハーネスの布線用治具。
【請求項３】
前記ベースの一端の上下面に、前記貫通孔を中心とした放射状に複数の歯を形成してなる噛み合い面を形成し、上下に隣接する前記ベースの噛み合い面同士が互いに噛合可能としたことを特徴とする請求項２に記載のワイヤハーネスの布線用治具。
【請求項４】
前記電線受け部を前記ベースへ着脱可能に設ける一方、前記ベースに、前記電線受け部の装着部を前記ベースの突出方向に沿って複数形成して、前記装着部の選択により前記電線受け部の突出位置を変更可能としたことを特徴とする請求項１乃至３の何れかに記載のワイヤハーネスの布線用治具。
【発明の詳細な説明】
【技術分野】
【０００１】
本発明は、自動車用のワイヤハーネスの製造工程において、電線の布線の際に電線を分岐位置で保持するために用いる布線用治具に関する。
【背景技術】
【０００２】
自動車のワイヤハーネスの製造工程において、電線の布線板には、電線を分岐位置で保持するための布線用治具が立設されている。この布線用治具としては、布線板に立設される支軸の上部に、分岐数に応じて三つ叉や四つ叉となる電線受け部を放射状に設けたものが知られている。
このような布線用治具においては、分岐する電線の径によってワイヤハーネスの分岐中心と布線用治具との中心とが合わず、分岐した電線にだぶつきを生じさせたりする不具合があることから、特許文献１においては、支軸の上部で電線受け部の中心に、棒材からなる電線巻き付け部を設けて、分岐させる電線を電線巻き付け部に巻き付けて屈曲させるようにしている。また、特許文献２においては、支軸に対してＵ字状やＬ字状の電線受け部を別体に設けて、電線受け部における支軸との連結部に長円状の取付孔を形成して、分岐形態に合わせて電線受け部をスライドや回転させて対応可能としている。
【０００３】
【特許文献１】特開２００２−４２５８６号公報
【特許文献２】特開２０００−６７６６８号公報
【発明の開示】
【発明が解決しようとする課題】
【０００４】
特許文献１の布線用治具においては、分岐数が固定であるので、分岐数に合わせて異なるタイプの布線用治具を用意する必要があり、布線用治具に係る製造コストや管理の手間がかさむことになる。一方、特許文献２においては、支軸に取り付ける電線受け部を増減することで分岐数の増減に対応できるが、複数の電線受け部を一つのネジで一度に固定する構造であるため、一つの電線受け部の位置や角度を調節する際に他の電線受け部の位置等がずれを起こしやすく、位置や角度の調節がしづらい上、分岐中心と布線用治具の中心との精度が悪くなるおそれがある。
【０００５】
そこで、本発明は、分岐数の増減に容易に対応でき、分岐に応じた電線受け部の突出角度の設定も簡単且つ正確に行えて、分岐中心と布線用治具の中心とを精度よく一致させることができるワイヤハーネスの布線用治具を提供することを目的とするものである。
【課題を解決するための手段】
【０００６】
上記目的を達成するために、請求項１に記載の発明は、布線板に立設される基端部の上部に、基端部よりも小径となる中心ピンを同軸で突設したシャフトと、一端に中心ピンが貫通可能な貫通孔を、他端に上方へ突出する電線受け部を夫々有し、中心ピンを貫通孔に貫通させたセット状態で、他端が中心ピンから放射状に突出する複数のベースと、ベースを前記中心ピンに対して回り止めする回り止め手段と、を備え、複数のベースを上方から順番に中心ピンにセットして夫々所定の方向へ突出させ、回り止め手段によって各ベースを回り止めして所定の分岐形態を選択可能としたことを特徴とするものである。
請求項２に記載の発明は、請求項１の構成において、回り止め手段を簡単に形成するために、回り止め手段を、最上位置にセットされたベースの上方から中心ピンに装着され、シャフトの基端部との間で複数のベースを上下方向で挟持する押圧部材としたことを特徴とするものである。
請求項３に記載の発明は、請求項２の構成において、回り止め手段の信頼性を高めるために、ベースの一端の上下面に、貫通孔を中心とした放射状に複数の歯を形成してなる噛み合い面を形成し、上下に隣接するベースの噛み合い面同士が互いに噛合可能としたことを特徴とするものである。
請求項４に記載の発明は、請求項１乃至３の何れかの構成において、使い勝手をより良好とするために、電線受け部をベースへ着脱可能に設ける一方、ベースに、電線受け部の装着部をベースの突出方向に沿って複数形成して、装着部の選択により電線受け部の突出位置を変更可能としたことを特徴とするものである。
【発明の効果】
【０００７】
請求項１に記載の発明によれば、分岐数の増減に容易に対応でき、分岐形態に応じた電線受け部の突出角度の設定も簡単且つ正確に行えて、分岐中心と布線用治具の中心とを精度よく一致させることができる。特に、各ベースが夫々単独で突出角度を変更できるため、電線の径が変わっても容易に対応可能となり、使い勝手に優れる。
請求項２に記載の発明によれば、請求項１の効果に加えて、押圧部材を中心ピンに装着する簡単な構成で回り止め手段が形成可能となる。
請求項３に記載の発明によれば、請求項２の効果に加えて、回り止めしたベースが偶発的に回転するおそれが少なくなり、回り止め手段の信頼性が高まる。また、噛み合い面を利用して電線受け部の突出角度の調整も容易に行える。
請求項４に記載の発明によれば、請求項１乃至３の何れかの効果に加えて、電線の径や分岐形態に合わせて電線受け部の位置の調整が可能となり、使い勝手がより良好となる。
【発明を実施するための最良の形態】
【０００８】
以下、本発明の実施の形態を図面に基づいて説明する。
図１は、布線用治具の一例を示す説明図で、布線用治具１は、シャフト２と、そのシャフトにセットされる複数のベース７，７・・と、ナット１３とを有する。
シャフト２は、図示しない布線板上に固定される基端部３と、その基端部３より小径で、基端部３の上面に形成したネジ孔４へ同軸でねじ込み固定される中心ピン５とからなり、中心ピン５の下方部分に雄ネジ部６が形成されている。
【０００９】
ベース７は、図２に示すように、平面視が長円状の板体で、一端には、シャフト２の中心ピン５が貫通する貫通孔８が形成され、他端及び中央には、装着部となる嵌入孔９，９が形成されて、何れかの嵌入孔９を選択して電線受け部となる電線受けピン１０の下端を差し込むことで、電線受けピン１０を上方へ向けて立設可能としている。
また、ベース７における貫通孔８側の端部の上下面には、貫通孔８を中心とした放射状に横断面山形の歯１２，１２・・を、周方向に所定角度（例えば５°間隔）をおいて複数形成して、回り止め手段となる噛み合い面１１を形成している。
【００１０】
以上の如く構成された布線用治具１においては、分岐数に合わせた数のベース７を用意して、夫々シャフト２にセットすることになる。例えば５分岐の場合は、５つのベース７，７・・を用意して、中心ピン５に夫々のベース７の貫通孔８を上方から順番に貫通させることで、上下方向に重ねてセットした後、各ベース７の電線受けピン１０側の端部を把持して電線受けピン１０が所定の突出角度となるように水平方向に回転させる。このとき上下に隣接するベース７，７間で噛み合い面１１同士が干渉するが、各ベース７は固定されていないので、噛み合い歯１１同士で互いに歯１２を乗り越えてベース７の回転を許容する。
【００１１】
各電線受けピン１０の突出角度が決定すると、中心ピン５の雄ネジ部６に押圧部材としてのナット１３を螺合させて最上位置のベース７に当接させてそのままねじ込む。すると、図３に示すように、中心ピン５に沿って重なった５つのベース７の端部が、シャフト２の基端部３とナット１３との間で挟持される。特にこの状態では、各ベース７は上下に隣接する噛み合い歯１１同士が噛合しているので、各ベース７は回転することなく強固に固定される。
ここで、各電線受けピン１０の内側空間で上下のベース７間で生じる段差を解消したい場合は、中央で中心ピン５が貫通し、外縁が電線受けピン１０よりも内側に位置する円盤１４をセットすれば、円盤１４がナット１３上で水平に支持され、各電線受けピン１０の内側空間の底面を面一にできる。
【００１２】
よって、この布線用治具１を用いた場合は、図４に示すように、ワイヤハーネスＷにおいて、分岐させる電線Ｗ１，Ｗ１・・を中心ピン５を巻くようにして夫々電線受けピン１０，１０間を通して分岐させるようにすれば、５分岐の場合でもワイヤハーネスＷの分岐中心と布線用治具１の中心とを精度よく一致させることができ、分岐させた電線のばらつき等の不具合が生じなくなる。
なお、電線受けピン１０の位置を変えたい場合は、中央の嵌入孔９を選択して電線受けピン１０を嵌入させればよく、電線受けピン１０が不要であればそのまま取り外しておくこともできる。また、電線受けピン１０の突出角度を変更したい場合は、ナット１３を緩めれば、上下方向の押圧と噛み合い面１１同士の噛合とが解除されてベース７の回転が許容されるため、任意のベース７の回転操作で突出角度を調整した後、再びナット１３をねじ込んで回り止めすればよい。
【００１３】
このように、上記形態の布線用治具１によれば、布線板に立設される基端部３の上部に、基端部３よりも小径となる中心ピン５を同軸で突設したシャフト２と、一端に中心ピン５が貫通可能な貫通孔８を、他端に上方へ突出する電線受けピン１０を夫々有し、中心ピン５を貫通孔８に貫通させたセット状態で、他端が中心ピン５から放射状に突出する複数のベース７と、ベース７を中心ピン５に対して回り止めするナット１３と、を備え、複数のベース７を上方から順番に中心ピン５にセットして夫々所定の方向へ突出させ、ナット１３によって各ベース７を回り止めして所定の分岐形態を選択可能としたことで、分岐数の増減に容易に対応でき、分岐形態に応じた電線受けピン１０の突出角度の設定も簡単且つ正確に行えて、分岐中心と布線用治具１の中心とを精度よく一致させることができる。特に、各ベース７が夫々単独で突出角度を変更できるため、電線の径が変わっても容易に対応可能となり、使い勝手に優れる。
【００１４】
また、ここでは、回り止め手段を、最上位置にセットされたベース７の上方から中心ピン５に装着され、シャフト２の基端部３との間で複数のベース７を上下方向で挟持するナット１３としたことで、ナット１３を中心ピン６にねじ込む簡単な構成で回り止め手段が形成可能となる。
さらに、ベース７の一端の上下面に、貫通孔８を中心とした放射状に複数の歯１２を形成してなる噛み合い面１１を形成し、上下に隣接するベース７の噛み合い面１１同士が互いに噛合可能としたことで、回り止めしたベース７が偶発的に回転するおそれが少なくなり、回り止め手段の信頼性が高まる。また、噛み合い面１１を利用して電線受けピン１０の突出角度の調整も容易に行える。
そして、電線受けピン１０をベース７へ着脱可能に設ける一方、ベース７に、電線受けピン１０の嵌入孔９をベース７の突出方向に沿って複数形成して、嵌入孔９の選択により電線受けピン１０の突出位置を変更可能としたことで、電線の径や分岐形態に合わせて電線受けピン１０の位置の調整が可能となり、使い勝手がより良好となる。
【００１５】
なお、上記形態では、ナットに加えてベースに設けた噛み合い面同士の噛合によってベースの回り止めを図っているが、ナットによる押圧のみでベースの固定が可能であれば、噛み合い面は省略してもよい。また、押圧部材はナットに限らず、中心ピンに装着してベースを基端部との間で挟持できれば、例えば中心ピンの側面を前後から挟持し、中心ピンに沿った任意の位置で固定可能な一対のクランプ部材等、他の構造も採用可能である。さらには、中心ピンのネジ部分を長くして、中心ピンのねじ込みによって中心ピンと基端部との間でベースを挟持固定するような構造も考えられる。すなわち、中心ピンを押圧部材に兼用する形態である。
【００１６】
一方、ベースの数や、電線受けピンの装着部の数も上記形態に限らず、分岐数等に応じて適宜増減して差し支えないし、装着部も上記嵌入孔に代えて、電線受けピンの下端をねじ込み固定する雌ネジ孔等に変更できる。また、電線受け部としてはピン形状に限らず、帯板状等の他の形状も採用可能である。
その他、円盤は、電線受け部よりも周縁が外側となる大径に形成し、所定の分岐形態に応じて電線受け部が貫通する透孔を形成しておくような形態でも差し支えない。このようにすれば、円盤を利用して電線受け部の突出角度の設定が容易に行える。勿論円盤の省略も可能である。
【図面の簡単な説明】
【００１７】
【図１】布線用治具の分解側面図である。
【図２】ベースの斜視図である。
【図３】布線用治具の説明図で、（Ａ）が平面、（Ｂ）が上部分の側面を夫々示す。
【図４】ワイヤハーネスの布線状態を示す説明図である。
【符号の説明】
【００１８】
１・・布線用治具、２・・シャフト、３・・基端部、５・・中心ピン、６・・雄ネジ部、７・・ベース、８・・貫通孔、９・・嵌入孔、１０・・電線受けピン、１１・・噛み合い面、１２・・歯、１３・・ナット、１４・・円盤、Ｗ・・ワイヤハーネス、Ｗ１・・電線。
【図１】
2009238483.tif 000003
【図２】
2009238483.tif 000004
【図３】
2009238483.tif 000005
【図４】
2009238483.tif 000006